(57)【要約】【課題】養蜂に於いて、良質なプロポリスを効率よく多量に採集することが出来るようにする。【解決手段】巣箱１の箱体２内に吊設する巣枠８などの上方に、不銹材からなる網１１ａを取替え可能に設けると共に、網１１ａ上面を覆うよう布１２を設けたもので養蜂を行ない、プロポリスが付着した網１１ａを取集してプロポリスの採集をするようにしたものである。【選択図】        図１
2004313161.tif 000002
【特許請求の範囲】
【請求項１】
巣箱の箱体内に吊設する巣枠などの上方に、不銹材からなる網を取替え可能に設けると共に、網上面を覆うよう布を設けたもので養蜂を行ない、プロポリスが付着した網を取集してプロポリスの採集をするようにしたことを特徴とするプロポリス採集方法。
【請求項２】
不銹材からなり巣箱内に設置可能な大きさの矩形とした網の外周縁に同材質の縁材を設けた網体と、網体と同形状の布との組合せとしたことを特徴とするプロポリス採集器具。
【発明の詳細な説明】
【０００１】
【発明の属する技術分野】
本発明は養蜂に於いて、蜜蜂が外敵や雑菌などを防ぐために巣箱の出入口や巣箱内に付着させたプロポリスを、容易に且つ大量に良質な状態で採集することが出来るようにしたプロポリス採集方法及びその器具に関するものである。
【０００２】
【従来の技術】
近年健康食品として或は、医学的に免疫増進や炎症治療などに効果があるプロポリスが注目を集めてきているが、天然のプロポリスの採集は養蜂によっているのが現状である。
その養蜂に於いて、蜜蜂が色々な植物から集めた樹液を唾液や蜜ろうと混ぜ合わせたプロポリス（蜂やに）を足に付着させて巣箱に戻ってくる。
そして戻ってきた蜜蜂は、足に付着しているプロポリスを巣箱の出入口、更に巣箱内の通路や巣箱の側面に設けた通風窓の金網など巣箱の内部全体に塗布にて付着させる。
【０００３】
これは蜜蜂が外敵から守るため或はバクテリヤやウイルスなどの雑菌に対しての防衛として巣を覆う本能ともいえる習性によるものである。
そして塗布によるプロポリスの付着状態も比較的その厚さが薄く千差万別であるが、通風窓の金網部分が比較的多めに付着している。
このようにして巣箱に付着しているプロポリスを採集するには、巣箱より巣礎を設けた巣枠などを取り出してから、手作業で付着しているプロポリスを削り取り採集していた。
【０００４】
【発明が解決しようとする課題】
このように巣箱に付着しているプロポリスを手作業で削り取って採集しているが、削り取るためには巣箱から巣箱内の巣枠などを全部取り出してからでないと削り取り作業が行なえずその準備が煩わしいと共に、削り取り作業が手作業のため削り取り量も少なく労力と時間がかかり能率が悪く、そのうえ保管管理上どうしても塵埃が巣箱内外に付着しているため、削り取ったプロポリスに周囲などに付着している塵埃が混入してしまい、良質な純度の高いプロポリスを採集することが出来ないため効率が悪く、プロポリス採集上非常に不都合を感じていた。
【０００５】
【発明が解決するための手段】
本発明はこのような不都合を解消するもので、
先ず採集方法としては、巣箱の箱体内に吊設する巣枠などの上方に、不銹材からなる網を取替え可能に設けると共に、網上面を覆うよう布を設けたもので養蜂を行ない、プロポリスが付着した網を取集してプロポリスの採集をするようにしたものである。
【０００６】
【作用】
このように巣箱体内に吊設する巣枠などの上方に網を設け、その網の上面を布で覆った巣箱で養蜂すると、蜜蜂は巣を覆う本能によって巣箱内にプロポリスを付着させるが、特に網全体にプロポリスをより多く付着させるので、定期的に巣箱の蓋を開けプロポリスの付着した網を布と共に取り出し、新しい網を再度巣枠などの上方に設け布で覆い蓋をして養蜂を続ける。
尚網の上に布で覆うのは、布で覆わない場合よりも覆ったほうが遥にプロポリスの付着が多いためである。
又、網を設ける位置も巣枠間や巣箱内の側面に設けるよりも、巣枠などの上方に設けるほうが遥にプロポリスの付着が多いためである。
【０００７】
このように巣箱内部の巣枠などの道具類を全部出す必要もなく、蓋を開けるだけで付着した網と新しい網の取り替えと設置が簡単に次々と行なえ、網目には蜜蜂が運んできたプロポリスが塗布によつて付着し塵埃などの余分なものの付着が少なく、良質なプロポリスが人手も時間もかからず経済的に大量に採集することが出来る。
又、網によって大量にプロポリスが採集することが出来るためその後の処理も容易となり低コストで大量のプロポリスを抽出することが可能で、純正のプロポリスを安価に提供することが可能である。
【０００８】
次に採集器具としては、不銹材からなり巣箱内に設置可能な大きさの矩形とした網の外周縁に同材質の縁材を設けた網体と、網体と同形状の布との組合せとしたものである。
尚網体としては、不銹材としてステンレススチールを用いた金網と縁材が後処理や搬送などに最適であるが、不銹材或は耐蝕性に優れている他の金ぞ又は非金属を用いた網体でも良い。
【０００９】
又、網の外周に縁材を設けているため、網体のぐらつきや撓みが無く巣箱内の上方への設置が容易に出来ると共に、使用中の怪我も無く、後処理や搬送にも最適で場所も取らないため保管も簡単に行なえ、且つ長期使用が出来る。
布は一度の使用で捨てるのでは無く繰り返し用いることが出来る。
【００１０】
【実施の形態】
以下本発明の方法と器具についての一実施例を図面について説明する。
図中１は巣箱全体を示し、２は上部を開口する箱体であって、長手方向の両側面に通風窓３を穿設しその通風窓３内側に通風網４を設け、外周上方に上部が突き出るよう当板５を設けると共に、蓋板６を通風窓３側の側面に上下動可能に設けて通風網４の開閉を可能としている。
７は受板であって、通風窓３側の内側上方に上部が突き出るよう設け、巣枠８の吊設を可能としている。
【００１１】
９は蓋であって、箱体２上に当板５にて支持されて着脱可能に設けている。
１０は採集器具全体を示し、１１は箱体２内の大きさの矩形からなる網体であって、網１１ａとしてはステンレス製の金網を用い、その全周にステンレス製の縁材１１ｂを設けている。
１２は網体１１と同じ大きさからなる布であって、網体１１上の覆いを可能としている。
【００１２】
このように組み合わせた巣箱１の蓋９を取って箱体２を開口状としてから、複数個の巣枠８の両端を受板７上に載せて箱体２内に巣枠８を吊設し、巣枠８上面と網１１ａ間に隙間が出来るよう（隙間が無くても良いがプロポリスの付着効果は悪くなる）巣枠８上方に網体１１を設け、その上に布１２を覆う。
このように巣枠８上方に網体１１を設けてから蓋９を蓋し、蓋板６を上方に移動し通風窓３を蓋して蜜蜂の入口１３を開口し所定の場所に設置する。
【００１３】
するとプロポリスを足に付けた蜜蜂が入口１３から巣箱１内に入り、巣を覆う本能によって巣箱１内にプロポリスを付着させるが、布１２で覆った網体１１に一番多く付着させるので、定期的に蓋９を開け布１２を捲ってプロポリスの付着した網体１１を箱体２より取り出し、新しい網体１１を設けその上に布１２を覆い蓋９を蓋して次のプロポリスの採集まで待つ。
このような手順の操作を繰り返してプロポリスの付着した網体１１を次々と取集することによって、余分な付着物の少ないプロポリスの採集を容易に而も多量に行なうことが出来る。
【００１４】
【発明の効果】
上述の如く本発明の請求項１に於いては、巣箱内部の巣枠などの道具類を全部出す必要もなく、蓋を開けるだけで付着した網と新しい網の取り替えと設置が簡単に次々と行なえ、しかも網目には塵埃などの余分なものの付着が少ないプロポリスが付着し、良質なプロポリスが人手も時間もかからず経済的に大量に採集することが出来ると共に、網によって大量にプロポリスを採集するためその後の処理も容易となり低コストで大量のプロポリスを抽出することが出来、純正のプロポリスを安価に提供することが可能である。
【００１５】
請求項２に於いては、網の外周に縁材を設けているため、網体のぐらつきや撓みが無く巣箱内の上方への設置が容易に出来ると共に、使用中の怪我も無く、後処理や搬送にも最適で場所も取らないため保管も簡単に行なえ、且つ長期使用が出来て経済的である。
このように多くの特長があり産業利用上非常に優れた発明である。
【図面の簡単な説明】
【図１】本発明実施例の巣箱の一部を破断した正面図である
【図２】本発明実施例の巣箱の一部を破断した左側面図である
【図３】図１のＡ部拡大図である
【図４】本発明実施例の網体の斜視図である
【符号の説明】
１    巣箱
２    箱体
３    通風窓
４    通風網
５    当板
６    蓋板
７    受板
８    巣枠
９    蓋
１０    採集器
１１    網体
１１ａ  網
１１ｂ  縁材
１２    布
１３    入口
【図１】
2004313161.tif 000003
【図２】
2004313161.tif 000004
【図３】
2004313161.tif 000005
【図４】
2004313161.tif 000006